(57)【要約】【課題】  防水扉本体の重量に拘わらず水平姿勢と起立姿勢とにわたり容易に姿勢変化させ得る防水扉を提供することを目的とする。【解決手段】  下部２１が通路５側にヒンジ２２にて結合されて、防水するときの起立姿勢と非防水時に通路５を覆う水平姿勢とにわたり揺動可変な防水扉本体２０と、この防水扉本体２０を揺動させるに要する開閉力を軽減する補助力を防水扉本体２０に付与するアシスト手段としてのねじりコイルばね２３とを具備する。【選択図】      図２
2006233552.tif 000002
【特許請求の範囲】
【請求項１】
下部が通路側にヒンジ結合されて、防水するときの起立姿勢と非防水時に該通路を覆う水平姿勢とにわたり揺動可変な防水扉本体と、
この防水扉本体を揺動させるに要する開閉力を軽減する補助力を防水扉本体に付与するアシスト手段としてのばね部材とを具備することを特徴とする防水扉。
【請求項２】
請求項１に記載の防水扉において、
前記ばね部材に、ねじりコイルばねが用いられていることを特徴とする防水扉。
【請求項３】
請求項１又は２に記載の防水扉において、
更に、前記防水扉本体を前記水平姿勢に閉めるときにその閉める方向とは逆方向の緩衝力を防水扉本体に付与するダンパを備えることを特徴とする防水扉。
【請求項４】
請求項１乃至３のいずれかに記載の防水扉において、
水平姿勢の前記防水扉本体における下面側の上部に、外側に引き出し可能に設けられた取手を有することを特徴とする防水扉。
【請求項５】
請求項１乃至４のいずれかに記載の防水扉において、
水平姿勢の前記防水扉本体の下面側に、防水扉本体を起立姿勢に保持する支持手段が設けられていることを特徴とする防水扉。
【請求項６】
請求項１乃至５のいずれかに記載の防水扉において、
前記防水扉本体が、出入口等の開口を有する建造物の開口下部を塞ぐために用いられ、該防水扉本体の水平方向の幅寸法が、上記開口の幅寸法に応じて規定されているとともに、該開口の床面とこれに繋がる２側面にコの字状の当接部材が設けられ、この当接部材が起立姿勢の防水扉本体の底部及び両側部に当接する構成となっていることを特徴とする防水扉。
【請求項７】
請求項６に記載の防水扉において、
前記当接部材の両上端部に、起立姿勢の前記防水扉本体の上部に係止されて防水扉本体を当接部材との間で防水状態に保持する第１ロック手段が設けられていることを特徴とする防水扉。
【請求項８】
請求項１乃至７のいずれかに記載の防水扉において、
前記当接部材は、前記防水扉本体が当接することにより撓み変形して該防水扉本体との間での水密状態を確保する弾性シール部材を有することを特徴とする防水扉。
【請求項９】
請求項１乃至８のいずれかに記載の防水扉において、
水平姿勢の前記防水扉本体の下方には、該防水扉本体により覆われる空洞部が設けられていることを特徴とする防水扉。
【請求項１０】
請求項９に記載の防水扉において、
前記空洞部に隣接して第２空洞部が設けられ、その第２空洞部に前記防水扉本体を水平姿勢にロックする第２ロック手段が配置され、かつ第２空洞部が蓋で覆われているとともに上記第２ロック手段の操作部の上方の蓋部分が開閉可能になっていることを特徴とする防水扉。
【発明の詳細な説明】
【技術分野】
【０００１】
本発明は、例えば出入口等の開口を有する建造物の内側に、開口から水が侵入することを防ぐための防水扉に関し、建造物の外側だけでなく内側にも設置することが可能な防水扉に関するものである。
【背景技術】
【０００２】
上述した防水扉として、従来、２枚重ねの板材の片側にヒンジを設けてＬ字状に広げ、それを防水箇所に設置する構成のものが知られている（特許文献１参照）。
【特許文献１】特開２００１−１４０２３５号
【発明の開示】
【発明が解決しようとする課題】
【０００３】
ところで、上記防水扉は、軽量で運搬・保管が容易に行い得るように構成されているため、後側に支えがあるような車庫等のシャッター前に設置することを要し、設置箇所に制限があり、開口部の下部を防水する用途には用いることが困難である。
【０００４】
そこで、防水扉を鋼材等の強度が高いもので構成し、それを防水すべき開口近傍に水平姿勢と起立姿勢とにわたり揺動可能に設けることが考えられるが、その重い防水扉を水平姿勢から起立姿勢へと容易に持ち上げることが難しいという難点がある。
【０００５】
本発明は、防水扉本体の重量に拘わらず水平姿勢と起立姿勢とにわたり容易に姿勢変化させ得る防水扉を提供することを目的とする。
【課題を解決するための手段】
【０００６】
本発明の請求項１の防水扉は、下部が通路側にヒンジ結合されて、防水するときの起立姿勢と非防水時に該通路を覆う水平姿勢とにわたり揺動可変な防水扉本体と、この防水扉本体を揺動させるに要する開閉力を軽減する補助力を防水扉本体に付与するアシスト手段としてのばね部材とを具備することを特徴とする。
【０００７】
本発明の請求項２の防水扉は、請求項１に記載の防水扉において、前記ばね部材に、ねじりコイルばねが用いられていることを特徴とする。
【０００８】
本発明の請求項３の防水扉は、請求項１又は２に記載の防水扉において、更に、前記防水扉本体を前記水平姿勢に閉めるときにその閉める方向とは逆方向の緩衝力を防水扉本体に付与するダンパを備えることを特徴とする。
【０００９】
本発明の請求項４の防水扉は、請求項１乃至３のいずれかに記載の防水扉において、水平姿勢の前記防水扉本体における下面側の上部に、外側に引き出し可能に設けられた取手を有することを特徴とする。
【００１０】
本発明の請求項５の防水扉は、請求項１乃至４のいずれかに記載の防水扉において、水平姿勢の前記防水扉本体の下面側に、防水扉本体を起立姿勢に保持する支持手段が設けられていることを特徴とする。
【００１１】
本発明の請求項６の防水扉は、請求項１乃至５のいずれかに記載の防水扉において、前記防水扉本体が、出入口等の開口を有する建造物の開口下部を塞ぐために用いられ、該防水扉本体の水平方向の幅寸法が、上記開口の幅寸法に応じて規定されているとともに、該開口の床面とこれに繋がる２側面にコの字状の当接部材が設けられ、この当接部材が起立姿勢の防水扉本体の底部及び両側部に当接する構成となっていることを特徴とする。
【００１２】
本発明の請求項７の防水扉は、請求項６に記載の防水扉において、前記当接部材の両上端部に、起立姿勢の前記防水扉本体の上部に係止されて防水扉本体を当接部材との間で防水状態に保持する第１ロック手段が設けられていることを特徴とする。
【００１３】
本発明の請求項８の防水扉は、請求項１乃至７のいずれかに記載の防水扉において、前記当接部材は、前記防水扉本体が当接することにより撓み変形して該防水扉本体との間での水密状態を確保する弾性シール部材を有することを特徴とする。
【００１４】
本発明の請求項９の防水扉は、請求項１乃至８のいずれかに記載の防水扉において、水平姿勢の前記防水扉本体の下方には、該防水扉本体により覆われる空洞部が設けられていることを特徴とする。
【００１５】
本発明の請求項１０の防水扉は、請求項９に記載の防水扉において、前記空洞部に隣接して第２空洞部が設けられ、その第２空洞部に前記防水扉本体を水平姿勢にロックする第２ロック手段が配置され、かつ第２空洞部が蓋で覆われているとともに上記第２ロック手段の操作部の上方の蓋部分が開閉可能になっていることを特徴とする。
【発明の効果】
【００１６】
本発明による場合には、アシスト手段としてのばね部材が、防水扉本体に、水平姿勢と起立姿勢とにわたる揺動変化に要する開閉力を軽減する補助力を付与するので、防水扉本体を鋼材等の重量体で形成していても、防水扉本体を容易に揺動させ得る。このとき、上記補助力は防水扉本体の重量に対応して決定すればよい。また、ばね部材を用いるので、電動モータをアシスト手段とした場合のように防水扉を使用するという非常時に対応不可となることがなく、また電力系の防水を考慮する必要もなく便利である。
【００１７】
上記ばね部材としては、請求項２のようにねじりコイルばねを用いるのが好ましい。その理由は、ねじりコイルばねを用いる場合は、防水扉本体の下部の下側部分にねじりコイルばねを配置させ得、水平姿勢の防水扉本体の下側において他の部材を収納させることが可能なスペースを確保することができる。
【００１８】
請求項３の発明による場合には、防水扉本体を水平姿勢に閉めるとき、ダンパが、その閉める方向とは逆方向の緩衝力を防水扉本体に付与するので、緩やかに閉めることが可能となる。
【００１９】
請求項４の発明による場合には、取手を外側に引き出して持ち上げに用いることで、ヒンジから取手までの距離を長くさせ得、これにより開閉力を小さくすることが可能となる。
【００２０】
請求項５の発明による場合には、起立姿勢にした防水扉本体を支持手段が倒れないように起立姿勢に保持することができる。
【００２１】
請求項６の発明による場合には、防水扉本体を水平姿勢から起立姿勢に揺動させていくと、建造物の開口下部に設けたコの字状の当接部材に防水扉本体の所定部分（下部及び両側部）が当接し、防水状態を作り出すことが可能になる。
【００２２】
請求項７の発明による場合には、上記起立状態となった防水扉本体の上部に、当接部材の両上端部に設けた第１ロック手段を係止することで、支持手段に加えて第１ロック手段によっても防水扉本体の起立姿勢維持が行われる。その結果、防水扉本体の下面側でも上面側でも防水することが可能となる。詳述すると、防水扉本体の下面側を、水を受ける防水面として使用する場合は、防水扉本体が水圧で当接部材へ押し付けられるので、支持手段だけでも倒れない状態とされる。一方、防水扉本体の上面側を防水面として使用する場合は、防水扉本体が水圧で当接部材から離れて水平姿勢に戻されるように押されるため、支持手段だけでは倒れる虞があるが、第１ロック手段が防水扉本体を起立姿勢に確実に維持する。このように防水扉本体の下面側でも上面側でも防水することができるので、建造物の開口の前側が狭く、本発明の防水扉の設置が困難な場合には、開口よりも建造物内側に設置して防水することが可能となる。また、第１ロック手段を併用するときは、支持手段として簡単な機構のものの使用が可能となる。
【００２３】
請求項８の発明による場合には、弾性シール部材が撓み変形して防水扉本体との間での水密状態が確保される。
【００２４】
請求項９の発明による場合には、水平姿勢の防水扉本体の下方に空洞部が設けられているので、防水扉本体の下面側に設けられた部材、例えばばね手段やダンパ、取手、支持手段などが邪魔にならないように空洞部内に入れ込むことができる。
【００２５】
請求項１０の発明による場合には、第２ロック手段が、防水扉本体を水平姿勢にロックするので、防水扉本体の閉状態を確実に維持させ得、また、第２ロック手段の操作部は開閉可能な蓋部分を開けることで操作することができ、更にその第２ロック手段が蓋の下側に隠れるので、邪魔にならずしかも美観に優れる。
【発明を実施するための最良の形態】
【００２６】
以下に、本発明を具体的に説明する。
【００２７】
図１は本発明の一実施形態に係る防水扉を示す平面図であり、図２はその防水扉の内部構造を示す平面図、図３は図２におけるＡ−Ａ線による断面図、図４は図３のＢ−Ｂ線による断面図、図５は図３のＣ−Ｃ線による断面図である。なお、図１には防水扉本体を水平姿勢として表し、図２では防水扉本体を起立姿勢として表している。
【００２８】
この防水扉１は、図示例では建造物２の出入口である開口３の下部を防水するようになっていて、建造物２の前側の道路４であって開口３から人等が出入りする通路５上に配置されている。また、この防水扉１は、開口３側から外側に向かって、取り外し可能な細長い外形のグレーティング１０、防水用の矩形状の防水扉本体２０が順に設けられ、防水扉本体２０の外側には中央部に開閉可能な矩形状の蓋１２が設けられ、その蓋１２の建造物２に沿った両側には固定された矩形状の蓋１３が設けられている。これらグレーティング１０、防水扉本体２０及び蓋１２、１３は、本実施形態では全て鋼材により作製されているが、これらで支える必要のある重量によっては、他の材料、例えば硬質樹脂等を用いることができる。なお、図１中の６は、開口３に設けられた左右両開きの開閉扉である。
【００２９】
グレーティング１０と防水扉本体２０の下には、これらで丁度覆われる平面視矩形状の空洞部１４が設けられ、蓋１２と２つの蓋１３の下には、これらで丁度覆われる平面視で細長い形状の第２空洞部１５が設けられている。これら空洞部１４、１５は同じ深さに形成され、これら空洞部１４、１５の間には、仕切部材１６が設けられている。
【００３０】
防水扉本体２０は、図４に示すように水平姿勢（二点鎖線で示す）と起立姿勢（実線で示す）とにわたり揺動可能なもので、起立姿勢のときに下側となる下部２１が通路５に複数、例えば図示例では８個のヒンジ２２を介して結合されている。各ヒンジ２２は、防水扉本体２０の下面に取付けられた取付部２２ａと、空洞部１４の底面に取付けられた取付部２２ｂとを有し、隣合う２つのヒンジ２２は、両取付部２２ａ及び２２ｂにそれぞれ設けた貫通孔に連結棒２２ｃを挿通させることで、連結されている。つまり、連結棒２２ｃは、この図示例では４本設けられている。
【００３１】
そして、この防水扉本体２０を、空洞部１４を塞ぐ水平姿勢から起立姿勢へ揺動させて開けると、空洞部１４が露出するとともに防水状態となる。一方、防水扉本体２０を防水状態の起立姿勢から水平姿勢へ揺動させて閉めると、防水扉本体２０はその上面が通路５と面一となった状態で空洞部１４を塞ぎ、通路５を覆う非防水状態となる。なお、本実施形態の防水扉本体２０は、開口３から人が出入りする箇所に設けられるため、上面にタイル２０ｂが貼られているが、車等の車両が走行する箇所の場合には、より厚い鋼板が用いられる。なお、蓋１２、１３の上にもタイル２０ｂが貼着されている。
【００３２】
この防水扉本体２０の下面（水平姿勢における空洞部３の面）には、アシスト手段としてのばね部材、図示例では８つのねじりコイルばね２３と、２つの支持手段２４と、１つのダンパ２５と、２つの取手３１とが設けられている。なお、これらねじりコイルばね２３、支持手段２４、ダンパ２５及び取手３１の個数及び配置位置は適宜変更可能である。
【００３３】
ねじりコイルばね２３は、上記防水扉本体２０を揺動させるに要する開閉力を軽減する補助力を防水扉本体２０に付与するもので、一方の端２３ａを防水扉本体２０側に、他方の端２３ｂを空洞部１４の底面側に固定されている。詳細には、図６に示すように、防水扉本体２０の下面に固定したばね止め部材２６に形成したばね止め孔２６ａに一方の端２３ａを挿入することで固定され、取付部２２ｂに形成したばね止め孔２２ｄに他方の端２３ｂを挿入することで固定されている。上記ばね止め孔２６ａには、隣のねじりコイルばね２３の一方の端２３ａが反対側に挿入される。
【００３４】
このねじりコイルばね２３による前記補助力は、防水扉本体２０に水平姿勢から起立姿勢へ向けて起き上がるように設定され、例えば、防水扉本体２０の下端を通路５から３〜５ｃｍ程度浮き上がらせ、この状態で人が防水扉本体２０の上に載ると、その重量により防水扉本体２０が水平姿勢に閉まるように設定されている。また、上記補助力は、防水扉本体２０を起立姿勢にするまで作用するようにすることが開閉力を軽減させる点で好ましいが、防水扉本体２０の重量によっては開閉途中まで作用するようにし、後は人力のみで起立姿勢に起こすように設定してもよい。なお、ねじりコイルばね２３による補助力（ねじり弾性力）を受けた状態で、防水扉本体２０を開閉させる力としては、例えば２０〜３０ｋｇとなるようにされる。
【００３５】
上記取手３１は、防水扉本体２０に水平姿勢から起立姿勢へ向けて起き上げる際に把持するもので、図３に示すように中央から少し左右方向に寄った位置に２つ設けられていて、２つの平行部３１ａの端が掴み部３１ｂで連結されたコの字状に形成されている。そして、平行部３１ａは、防水扉本体２０の下面に取付けられた支持片３２の２箇所に設けた貫通孔（図示せず）に挿通されていて、掴み部３１ｂを防水扉本体２０の上部縁の内側から外側へと引き出し可能になっている。外側へ引き出すと、掴み部３１ｂからヒンジ２２までの長さを長くすることができ、これにより防水扉本体２０を開閉させる際の開閉力を小さくすることが可能となる。防水扉本体２０を水平姿勢にするときは、掴み部３１ｂを内側へ入れ込む。
【００３６】
支持手段２４は、図４に示すように、２本の支持片２４ａ、２４ｂと１つの連結部材２４ｃとを有し、一方の支持片２４ａの一端が空洞部１４の底面に取付けた取付部２７に回動可能に支持され、一方の支持片２４ａの他端に前記連結部材２４ｃが固設されている。この連結部材２４ｃに他方の支持片２４ｂの一端が揺動可能に支持され、かつ他方の支持片２４ｂの他端が防水扉本体２０の下面に固定した取付部２８に回動可能に支持されている。よって、防水扉本体２０を水平姿勢にすると２本の支持片２４ａ、２４ｂが重なるように折れ曲がり、防水扉本体２０を起立姿勢にすると２本の支持片２４ａ、２４ｂが連結部材２４ｃを挟んで１８０゜に開いて直線状態になる。そして、直線状態になったときに、連結部材２４ｃに設けたピン取付孔２４ｄに対し、支持片２４ｂに設けたピン取付孔（図示せず）の位置が、一致するようになっていて、その位置が一致した連結部材２４ｃのピン取付孔２４ｄと支持片２４ｂのピン取付孔（図示せず）とを通るようにピン（図示せず）を水平方向に挿入することで前記直線状態が保持され、防水扉本体２０を起立姿勢に保持する。防水扉本体２０を水平姿勢に戻す際は、前記ピンを抜き、防水扉本体２０を倒せばよい。
【００３７】
ダンパ２５は、例えば油圧ダンパからなり、図７の等価回路で示すように、シリンダ２５ａの内部に設けたピストン２５ｂに連結したロッド２５ｃが伸長するときに、逆止弁２５ｄを介して圧油が流れ、ロッド２５ｃが縮小するときに、圧油が流量調整弁２５ｅにより流量調整された状態で流れるように構成されている。そして、ダンパ２５は、図５に示すようにシリンダ２５ａが空洞部１４の底面に取付けた取付部２９に揺動可能に取付けられ、ロッド２５ｃの先端が防水扉本体２０の下面に取付けた取付部３０に揺動可能に取付けられているので、防水扉本体２０を水平姿勢に閉めるときにその閉める方向とは逆方向の緩衝力を防水扉本体２０に付与する。
【００３８】
一方、建造物２の開口３の下部には、全体として正面視でコの字状をした当接部材４０が設けられている。この当接部材４０は、開口３の両側面３ｂに沿って立設された一対の支柱４０ａと（図１参照）、各支柱４０ａの前側に、平面断面がＬ字状をした部材をビス止めして形成された側部当接部４０ｂと（図１参照）、両支柱４０ａの下側であって、空洞部１４の開口３側の側面１４ａに設けられた底部当接部４０ｃ（図９参照）とを有する。また、側部当接部４０ｂの内側には弾性シール部材４１が設けられ、側部当接部４０ｂの前側に形成された縦長スリット４０ｄから弾性シール部材４１の一部が前方に向けて突出している（図８参照：なお図８は左側のものを示す）。一方、底部当接部４０ｃの前側にも、図９に示すように弾性シール部材４２が設けられ、その弾性シール部材４２は上部を切り欠いた状態の段付き状に形成されており、その段付き部４２ａに防水扉本体２０の下部２１の角部２１ａが当接するようになっている。更に、各側部当接部４０ｂの上には、鈎形をした第１ロック手段４３が設けられ、不使用時には着脱自在のカバー４４で覆われている。上記第１ロック手段４３は、水平軸４５の回りを回動でき、カバー４４を外して前側へ倒すと、起立姿勢の防水扉本体２０の上部２０ｃに上方から引っ掛けることができ、後側に回動させてカバー４４を被せると外から見えない状態にすることができる。なお、上部２０ｃは、起立姿勢の防水扉本体２０の上側となる部分である。
【００３９】
よって、水平姿勢の防水扉本体２０を起立姿勢に持ち上げていき、当接部材４０に当接させ、更に防水扉本体２０を前から後側へ押して弾性シール部材４１、４２を撓み変形させ、第１ロック手段４３を防水扉本体２０の上部に引っ掛けると、弾性シール部材４１、４２と防水扉本体２０との間が水密状態になる。これにより、開口３の下部が防水状態になる。
【００４０】
また、前記蓋１２、１３で覆われた第２空洞部１５の内部には、防水扉本体２０を水平姿勢にロックする第２ロック手段４６が配置されている。この第２ロック手段４６は、図２に示すように、左右方向の中央部に設けたロック部材４６ａと、その左側と右側にそれぞれ設けた２つのロック部材４６ｂと、これら３つのロック部材４６ａ、４６ｂに接続した棒部材４６ｃとを有する。また、上記ロック部材４６ａには操作部４６ｄが一体的に設けられており、操作部４６ｄを左右に揺動させると、棒部材４６ｃに接続された３つのロック部材４６ａ、４６ｂの全ての先端側が、操作部４６ｄとは左右を逆にして揺動するようになっている。一方、防水扉本体２０の上部の下面側には、各ロック部材４６ａ、４６ｂを前後方向にまっすぐなるようにしたときに、これらの先端の下側に係止される係止部、図４、５に示す例ではＬ字状部材２０ａが設けられている。また、当然のことながら、空洞部１４、１５の間の仕切部材１６には、各ロック部材４６ａ、４６ｂの先端部の動きに支障がないように左右方向に長い長孔が形成されている。なお、上記係止部としては、Ｌ字状部材２０ａに代えて、各ロック部材４６ａ、４６ｂの先端が出入りする左右方向に長い長孔などでもよい。また、仕切部材１６には、長孔に代えて、上側を切り欠いた凹部を形成してもよい。
【００４１】
このように構成された本実施形態の防水扉１の使用方法につき説明する。
【００４２】
先ず、防水状態にする場合を述べる。操作者は、防水扉本体２０の上に載り、グレーティング１０を外し、これと相前後して、開閉可能な蓋１２を開けてロック部材４６ａの操作部４６ｄを左右に揺動させ、非ロック状態にする。その後、操作者は、防水扉本体２０の上から降りる。すると、防水扉本体２０がねじりコイルばね２３の弾性力により上部２０ｃが通路５から３〜５ｃｍ程度浮き上がる。
【００４３】
その後、防水扉本体２０の下側に収納されている取手３１を引き出し、その取手３１を持って防水扉本体２０を引き上げる。このとき、取手３１が引き出されてヒンジ２２までの長さが長くなっているので、仮に防水扉本体の上部を持って引き上げる場合よりも、引き上げ力を小さくすることができ、加えて、ねじりコイルばね２３の弾性力による補助力を受けるので、防水扉本体２０を起立姿勢に容易に揺動させ得る。そして、防水扉本体２０が起立姿勢になると、取手３１から手を離すことで取手３１が自重により内側に引き込む。
【００４４】
その後、位置が一致した連結部材２４ｃのピン取付孔２４ｄと支持片２４ｂのピン取付孔（図示せず）とにピン（図示せず）を挿入し、かつカバー４４を外して第１ロック手段４３を起立姿勢の防水扉本体２０の上部に引っ掛けると、防水扉１が防水状態になる。
【００４５】
次に、防水扉本体２０を非使用状態にする場合は、上記ピンを外すとともに第１ロック手段４３を解除し、その後、取手３１を引き出し、その取手３１を持って防水扉本体２０を支えながら降ろしていく。このとき、ねじりコイルばね２３の弾性力による補助力を受け、かつダンパ２５が閉める方向とは逆方向の緩衝力を防水扉本体２０に付与するので、防水扉本体２０を支えながら降ろす力を軽減させ得、緩やかに閉めることが可能となる。そして、防水扉本体２０が通路５の上方３〜５ｃｍになると、ねじりコイルばね２３の弾性力により通路５から浮いた状態になって停止する。その後、防水扉本体２０の上に操作者が載り、操作者の体重により防水扉本体２０が閉まって水平姿勢とする。続いて、ロック部材４６ａの操作部４６ｄを左右に揺動させてロック状態にし、蓋１２を閉める。すると、操作部４６ｄが蓋１２の下側に隠れ、これにより第２ロック手段４６の全体が蓋１２、１３にて隠されるので、邪魔にならずしかも美観に優れる。
【００４６】
なお、上述した実施形態ではアシスト手段としてねじりコイルばねを用いているが、本発明はこれに限らず、他のばね部材を用いてもよい。その理由は以下の通りである。アシスト手段として、電動モータを用いる場合には防水扉を使用するという非常時に対応不可となる虞が高く、また電力系の防水を考慮する必要もある。これに対して、本発明ではアシスト手段としてばね部材を用いるので、非常時に対応不可となる虞がなく、またばね部材周りの防水を考慮する必要もなく便利である。特に、ねじりコイルばねを用いる場合は、防水扉本体の下部の下側部分にねじりコイルばねを配置させ得、水平姿勢の防水扉本体の下側において他の部材、本実施形態では支持手段２４、ダンパ２５及び取手３１などを収納させることが可能なスペースを確保することができるからである。
【００４７】
また、上述した実施形態では防水扉本体２０の下面側を、水を受ける防水面として用いる場合を例に挙げて説明しているが、本実施形態のように起立状態となった防水扉本体２０の上部に第１ロック手段４３を係止する構成を採ると、防水扉本体２０の上面側を防水面として用いることができる。詳述すると、防水扉本体２０の下面側を、水を受ける防水面として使用する場合は、防水扉本体２０が水圧で当接部材４０へ押し付けられるので、支持手段２４だけでも倒れない状態とされる。一方、防水扉本体２０の上面側を防水面として使用する場合は、防水扉本体２０が水圧で当接部材４０から離れて水平姿勢に戻されるように押されるため、支持手段２４だけでは倒れる虞があるが、第１ロック手段４３が防水扉本体２０を起立姿勢に確実に維持する。このように防水扉本体２０の下面側でも上面側でも防水することができるので、建造物２の開口３の前側が狭く、本発明の防水扉１の設置が困難な場合には、開口３よりも建造物内側に設置して防水することが可能となる。また、第１ロック手段４３を併用するときは、上述した実施形態のように簡単な機構の支持手段２４の使用が可能となる。
【図面の簡単な説明】
【００４８】
【図１】本発明の一実施形態に係る防水扉を示す平面図である。
【図２】図１の防水扉の内部構造を示す平面図である。
【図３】図２におけるＡ−Ａ線による断面図である。
【図４】図３のＢ−Ｂ線による断面図である。
【図５】図３のＣ−Ｃ線による断面図である。
【図６】図１の防水扉に備わったねじりコイルばねの設置箇所近傍を示す正面図である。
【図７】図１の防水扉に備わったダンパの等価回路図である。
【図８】図１の防水扉に備わった弾性シール部材を示す平面断面図である。
【図９】図１の防水扉の右側面図である。
【符号の説明】
【００４９】
１    防水扉
２    建造物
３    開口
５    通路
１２    蓋
１４    空洞部
１５    第２空洞部
２０    防水扉本体
２０ｃ    上部
２１    下部
２２    ヒンジ
２３    ねじりコイルばね（アシスト手段）
２４    支持手段
２５    ダンパ
３１    取手
４０    当接部材
４１、４２    弾性シール部材
４３    第１ロック手段
４６    第２ロック手段
【図１】
2006233552.tif 000003
【図２】
2006233552.tif 000004
【図３】
2006233552.tif 000005
【図４】
2006233552.tif 000006
【図５】
2006233552.tif 000007
【図６】
2006233552.tif 000008
【図７】
2006233552.tif 000009
【図８】
2006233552.tif 000010
【図９】
2006233552.tif 000011